(57)【要約】高熱事故の場合に支持ビームおよび他の建物の下地の構造的完全性を保護して難燃性または耐薬品性を安価に提供する、支持ビームおよび他の建物の下地用塗料。塗料は、接着剤（１６）と、再利用セラミック粉末（２２）とを含有し、再利用された粒状のセラミック材料（１４）を含有してもよい。本組成物は、使用済みのセラミック製火炉内張りブロックから形成されたセラミック材料を含有してもよい。
2005533945.tif 000002
【特許請求の範囲】
【請求項１】
複数の床と、前記床を支持する複数のビームと、該ビームのうちの少なくとも一つのビーム上の塗料組成物とを備え、該塗料組成物がセラミック材料及び接着剤を含有する建物。
【請求項２】
該ビームが鋼鉄からなる請求項１に記載の建物。
【請求項３】
該ビームが金属からなる請求項１に記載の建物。
【請求項４】
該セラミック材料が再利用セラミック材料である請求項１に記載の建物。
【請求項５】
該セラミック材料が使用済みの火炉内張りから形成されている請求項１に記載の建物。
【請求項６】
該セラミック材料は、粒状のセラミック材料及びセラミック粉末を含有し、該セラミック粉末は、該ビームの該塗料組成物が塗布された部分のセラミック材料による完全な被覆率を提供するのに十分な量で該接着剤中に分散されている請求項１に記載の建物。
【請求項７】
複数のルーフィングシートと、該ルーフィングシート上の紫外線保護塗料組成物とを含有し、該塗料組成物は、セラミック材料および接着剤を含有し、該セラミック材料は、該ルーフィングシートの該セラミック材料による完全な被覆率を提供するのに十分な量で該接着剤中に分散されているセラミック粉末を含有する建物の屋根部分。
【請求項８】
該セラミック材料が再利用セラミック材料である請求項７に記載の建物の屋根部分。
【請求項９】
該セラミック材料が使用済みの火炉内張りから形成されている請求項７に記載の屋根部分。
【請求項１０】
該セラミック材料は、粒状のセラミック材料をさらに含有する請求項７に記載の屋根部分。
【請求項１１】
建物を建設すべく他の物品と組み付けられるための物品であって、その物品は、建物の構造部材と、該構造部材に塗布される塗料組成物とを備え、該塗料組成物は、粒状のセラミック材料と、セラミック粉末と、接着剤とを含有し、該セラミック粉末は、該構造部材の該塗料組成物が塗布された部分の該セラミック材料による完全な被覆率を提供するのに十分な量で該接着剤中に分散されていることからなる物品。
【請求項１２】
該粒状のセラミック材料および該セラミック粉末が使用済みの火炉内張りから形成されている請求項１１に記載の物品。
【請求項１３】
該粒状のセラミック材料および該セラミック粉末が再利用されている請求項１１に記載の物品。
【請求項１４】
シーリング材、化粧漆喰、およびコーキングのうちの１種であり、多量のセラミック材料を含む添加剤を含有する建設において使用される材料。
【請求項１５】
該セラミック材料が使用済みの火炉内張りから形成されている請求項１４に記載の材料。
【請求項１６】
該セラミック材料がセラミック粉末を含有する請求項１４に記載の材料。
【請求項１７】
該セラミック材料が粒状のセラミック材料をさらに含有する請求項１４に記載の材料。
【請求項１８】
使用済みの火炉内張りから形成されている多量のセラミック材料を材料に塗布する工程を含む建設において使用される材料の性質を高める方法。
【請求項１９】
セラミック粉末を含有するべく前記セラミック材料を選択する工程をさらに備える請求項１８に記載の方法。
【請求項２０】
前記材料が、シーリング剤、化粧漆喰、及びコーキングのうちの１種である請求項１８に記載の方法。
【請求項２１】
セラミック材料および接着剤を含有し、該セラミック材料はセラミック粉末を含有し、該セラミック材料は使用済みの火炉内張りから形成され、該セラミック粉末は、下地の塗料組成物が塗布された部分の該セラミック材料による完全な被覆率を提供するのに十分な量で接着剤中に分散されている下地用塗料組成物。
【請求項２２】
該セラミック材料は粒状のセラミック材料をさらに含有する請求項２１に記載の塗料組成物。
【請求項２３】
使用済みの火炉内張りから再利用セラミック材料を形成する工程と、前記再利用セラミック材料および接着剤からなる塗料を構造部材部分に塗布する工程とを含み、セラミック粉末を含有するべく前記再利用セラミック材料を選択する工程をさらに含み、該セラミック粉末が、セラミック材料による構造部材部分の完全な被覆率を提供するために接着剤中に十分な量で用いられ、接着剤を硬化させる工程をさらに含む構造部材部分の性質を高める方法。
【請求項２４】
粒状のセラミック材料も含有するべく前記再利用セラミック材料を選択する工程を含む請求項２３の記載の方法。
【請求項２５】
塗料組成物を塗布する工程が、まず前記構造部材部分に接着剤を塗布する工程と、次いで、前記接着剤に前記粒状のセラミック材料を付ける工程と、次に、接着剤と混合されたセラミック粉末を前記構造部材部分上に吹き付ける工程とを含む請求項２４に記載の方法。
【発明の詳細な説明】
【技術分野】
【０００１】
本発明は一般に、建設業における屋根用および構造支持体用などの塗料、ならびに種々の建材および他の用途向けの添加剤に関する。
【背景技術】
【０００２】
２００１年９月１１日に、大量の燃料を搭載した民間航空機が世界貿易センターのツインタワーの上部に誘導され、該ツインタワーが崩壊した。タワーはうまく作られており、衝撃の力によって直ぐには崩壊せずに約１時間立っていた。しかしながら、ジェット燃料の燃焼による猛烈な熱がタワー内の鋼鉄製支持体の温度を８００℃の範囲に到達させ、それにより支持体が弱体化し、その結果、タワーは最終的に崩壊した。構造工学技術者のクリス  ワイズ（Ｃｈｒｉｓ  Ｗｉｓｅ）は、２００１年９月１３日のＢＢＣニュース「世界貿易センターはどう崩壊したか」で、以下のように引用されている。
【０００３】
建物を殺したのは火であり、地球上のどんな建物も、そのような量の燃料の燃焼によるこれらの温度から助かることは不可能だった。
各タワーは、それを通って垂直に延びるとともにコンクリート被覆された鋼鉄製ビームからなる中心コアを有し、各床は、垂直ビームに結合された鋼鉄製の水平支持体を有していた。垂直ビーム上のコンクリート被覆は、ほんの限られた時間だけ保護することができたであろう。水平な鋼鉄製支持体またはビームは耐火材料により被覆されており、防火処理は、ジェット燃料の燃焼による熱から水平ビームを保護するのに十分な品質だったかもしれないし、十分な品質でなかったかもしれない。しかしながら、衝撃を受けた部位の近くの床において、飛行機の衝撃力によって防火処理が「吹き飛ばされ」、それによって水平な鋼鉄製ビームが猛烈な熱にさらされたということが、出願人の理解する所である。従って、保護が不十分な鋼鉄製ビームの温度が８００℃に近付くにつれて、垂直ビームの上部および上方の床における水平ビームが、上方の床が下方の床の上に崩壊し始めるように構造的な完全さを失い始めた（弱くなり始めた）。崩壊している上方の床の重量により、弱体化している下方の床の上に次第に巨大な力が加えられ、その結果、各タワーが完全に崩壊した。
【０００４】
他の用途の中で、セラミック又は耐火材料は一般に、火炉の内張りのようなブロックの形で使用されている。火炉を再内張りする必要がある場合、セラミックブロックは取り外されて通常は埋め立て地に廃棄され、アルミナ酸化物、ジルコン、シリカ、又は酸化マグネシウムからなる新しいセラミックブロックに交換される。時々、セラミックブロックは、砂利に砕かれてから粉砕され、それから新しいセラミックブロックが形成されることにより、再利用され得る。
【０００５】
補強材には、セメント、砂もしくは粉砕スラグ、及び水の高圧コンクリート混合物などの形態の吹き付けコンクリート材料が一面に吹き付けられている。セラミック材料は接着剤とともに塗料として使用され、且つ建設業において添加剤として使用されている。例えば、紫外線の影響から保護するために、屋根用キャップシートは６〜２０メッシュの石英で被覆されており、屋根用複合シートは、砂利の形状のアクリル又はアルミナ酸化物で被覆されている。セラミック材料の使用は法外に高価であるだけでなく、塗料はセラミック粒子の間に紫外線が下地まで貫通可能な間隔を取っていることから、これらの塗布は紫外線の悪影響から屋根を十分に保護するものではない。
【発明の開示】
【発明が解決しようとする課題】
【０００６】
従って、本発明の目的は、ツインタワーにより遭遇した熱に持ちこたえてツインタワーにより遭遇した衝撃の際にそのまま残存するために、建物内の鋼鉄製ビーム用の適切な断熱材を提供することである。
【０００７】
本発明の他の目的は、紫外線の悪影響から下地を保護するのに効果的であり、そのため屋根の寿命が約１０年から約２０〜３０年まで延びることができる屋根用などの塗料を提供することである。
【０００８】
本発明の他の目的は、このような塗料を有利な値段で提供することである。
本発明の更なる目的は、木製下地用の難燃性を備える塗料を提供することである。
本発明の更にもう一つの目的は、鋼鉄製下地用の耐薬品性を備える塗料を提供することである。
【０００９】
本発明のもう一つの目的は、改良された耐火性、断熱性、及び他の好ましい特性をもたらす、しかも有利な価格でもたらすための、シーリング材、コーキングなどへの添加剤としてのセラミック材料を提供することである。
【課題を解決するための手段】
【００１０】
ツインタワーにより遭遇した熱に持ちこたえてツインタワーにより遭遇した衝撃の際にそのまま残存するために、建物内の鋼鉄製ビーム用の適切な断熱材を提供するべく、セラミック材料および接着剤からなる塗料がビームに塗布される。
【００１１】
本発明に従って安価なセラミック材料を提供するために、塗料は、接着剤および再利用セラミック材料からなる。
紫外線の影響に対して有効な保護をもたらすセラミック塗料を提供するために、塗料は、接着剤と、セラミック砂利およびセラミック粉末からなるセラミック材料とからなる。
【発明を実施するための最良の形態】
【００１２】
本発明の上記および他の目的、特徴、及び利点は、下記の好適な実施形態の詳細な説明を、各図を通して同一の参照番号が同一もしくは類似の部分を示す添付図面と併せて読むときに、その中で明らかになる。
【００１３】
図１に示すように、符号１２で示される（従来、ガラス繊維、アスファルト、又は他の適切な材料からなる）屋根用キャップシートの一部の上面には、符号１０で示される塗料が塗布されている。塗料１０は、例えば、ケイ酸ナトリウム、マスチック、又は任意の他の適切な粘着剤等の符号１６で示される適切な粘着剤中に混合されたセラミック材料１４からなる。接着剤が硬化した後、セラミック材料１４は、下地１８の表面上の適所に保持される。下地１８は屋根用キャップシートとして記述されるが、当然のことながら、木材、鋼鉄若しくは他の金属、又はコンクリート等の本塗料の塗布に適した任意の他の適切な下地でもよい。
【００１４】
本明細書及び特許請求の範囲の目的のために、用語「セラミック」は、火炉の内張りに使用されたり、他の耐熱目的のために使用されたりする等の耐熱材料と定義され、アルミナ酸化物（アルミナシリカ、ムライト等のアルミナの合金、及びアルミナ含有粘土を含む）、ジルコン（ジルコニアを含む）、シリカ（結晶性及び無定形の両方、例えばシリカフュームであり、主相がシリカであるアルミナやチタニア等の酸化物類の合金を含む）、及びマグネシア又はペリクレース（溶融されたもの、及び高温でか焼されたものの両方であり、ドロマイト及びクロム等のマグネシアの合金を含む）を含むものであるが、それらに限定されない。アルミナ酸化物はコランダムとしても知られ、全ての天然に生じる、及び加工されたアルミナ、溶融、か焼、平板状、並びに集塵機の微粉及び掃き屑を含む副生成物中に含まれるアルミナを含むものである。
【００１５】
接着剤における約６〜２０メッシュの大きさの石英、又は他のセラミック材料からなる従来の塗料は、セラミック材料部分の間の大きな間隙が紫外線の下地までの貫通を可能にしているため、紫外線の悪影響に対して下地を十分に保護していない。紫外線の下地までの貫通に対する効果的な障壁を提供するために、本発明に従って、セラミック材料は、下地を完全に覆うために符号２２で示される微粉セラミック材料からなる。好ましくは、セラミック材料は、より大きな密度、さらなる強度、耐火性及び断熱性、さらに粗粒の外観を提供するために、粉末材料２２に加えて符号２０で示される粗粒セラミック材料からなる。本明細書及び特許請求の範囲の目的のために、「粉末」は、約４５メッシュ若しくはそれよりも細かい粒度、又は空気中に懸濁可能な小さい粒度を有する粒子からなる材料をいう。粒状の材料は、符号２４で示され、約６〜３０メッシュの粒度を有する粒子を含有してもよいし、符号２６で示され、約０．９５〜１．２７ｃｍ（３／８〜１／２インチ）の粒度を有してもよい（粗い角をとるために）回転研磨されたより大きな砂利の断片を含有してもよいし、用途に適した任意の他の適切な粒度を有する材料の不連続の断片を含有してもよい。本明細書及び特許請求の範囲の目的のために、「粒状」は、約３０メッシュよりも大きい粒度を有する粒子をいう。
【００１６】
塗料１０を塗布するために、下地１８に接着剤１６の層が状況に応じて最初に塗布され、次に、粒子２４若しくは砂利２６のいずれか一方又は両方であってもよい顆粒状粒子が接着剤上に均一に置かれ、最後に、下地１８上に、さらなる接着剤１６とともに粉末材料２２が均一に吹き付けられ、それによりセラミック材料で下地を完全に覆い、即ち、セラミック粉末が下地１８の塗料１０が塗布された部分の完全な被覆率を提供するのに十分な量で接着剤中に分散され、それにより、紫外線の悪影響に対して完全に保護する。また、顆粒状粒子２４及び粉末材料２２の両方が、接着剤と一緒に下地上に吹き付けられてもよいし（及び、必要に応じて、吹き付け前に下地上に砂利２６が大まかに置かれる）、又は他の適切な手段により塗料１０が塗布されてもよい。このような塗料は、工場で、又は現場で、ルーフィング・シングル（ｒｏｏｆｉｎｇ  ｓｈｉｎｇｌｅｓ）、屋根用キャップシート、又は複合屋根用シートに塗布されてもよい。結果として、このような均質のセラミック製屋根は、おそらく１０年の代わりに２０〜３０年という非常に長い寿命を有することが可能であり、改善された外観のために露出した目地がなくて均一であり、及び熱アスファルトを使用する必要がないことも有利である。さらに、塗料１０は迅速に吹き付けられることができ、労働コストを節約することができる。
【００１７】
以下に図２〜６を参照して詳細に説明されているように、紫外線保護、断熱（耐熱）又は他の保護形態を提供するために、他の構成材料が同じように被覆されてもよい。断熱値を増すとともに炎による木の破壊を防ぎ、ひいては構造物に良好な火災等級を与えるために、木製構造物は塗料１０からなる適当な複数の塗膜で覆われてもよい。鋼鉄製管及び金属製ルーフデッキ等の鋼鉄製または他の金属製の構造体は、耐薬品性（さらに、腐食および紫外線に対する耐性）を備えるために、塗料１０で被覆されてもよい。塗料１０は、断熱値のためにデッキの上端に塗布されてもよいし、耐火性のためにデッキの下端に塗布されてもよい。塗料は、改善された外観および良好な火災等級を備えるために、さらに従来、他の方法で雨押さえを調整するのに必要な時間と労力とを節約するために、（隅部を安定させるために）雨押さえに塗布されてもよい。すなわち、塗料１０を吹き付けて、他の仕事を行うために「立ち去る」だけでよい。建設業界において塗料１０の様々な他の用途が見出されてもよく、このような他の用途は本発明の範囲内に入るものとする。
【００１８】
断熱Ｒ値が１５から３０へと高められることがますます要求されている。しかしながら、従来の断熱材では、その厚さの好ましくない増加に起因して、これを行うことが困難である。本発明の塗料は好都合なことに、断熱材の厚さを比較的薄い（約１．５２４ｍｍ（６０ｍｉｌｓ））ままにしておくことができる。
【００１９】
図２〜６を参照すると、符号５２で示される複数の床を有し、世界貿易センターのツインタワーのような建物が、概して符号５０で示されている。中央支持コア５４は、建物５０を通って垂直に延びている。コア５４は、コンクリートの外装材または被覆５８に覆われた複数の垂直な鋼鉄製支持体またはビームを備えている。各床５２は、例えば、垂直ビーム５６に取り付けられたブラケット（図示せず）への溶接またはボルト締め等により、垂直ビーム５６の１本に適切にそれぞれ結合された複数の水平な鋼鉄製支持体またはビーム６０を有している。それから、本発明が関連する当業者に周知の方式に従って、床５２は仕上げられる。
【００２０】
図６は、水平支持体６０の一つの断片を示す。ツインタワー崩壊で遭遇した極度の熱での弱体化から支持体６０を保護するための適切な断熱材を提供するとともに、例えばツインタワーによって経験したなどの強い衝撃の際に断熱材が吹き飛ばされる、又は他の方法で除去されることを防止するために、本発明に従って、支持体６０は、容易に剥がれない硬質の被膜を備えるべく、（最大約２２０４℃（４０００度Ｆ）までの耐火性化が可能である）セラミック材料１４および接着剤１６からなる塗料１０を備えている。セラミック材料１４は、より少ない費用で均質性を備えるために、好ましくは、粉末材料２０が上塗りされた顆粒状粒子２０を備えている。垂直ビーム５６及び／又はコンクリート外装材５８、さらに建物５０における他の構造支持体は、同様に被覆されてもよい。
【００２１】
セラミック材料１４は、種々の建材の性質を高めるための建材の添加剤として提供されてもよい。従って、セラミック材料１４は、耐火性、断熱値、及び強度の増加をもたらすために、例えば、（例えばコンクリート製の床、壁、及び天井のシーリング用の）シーリング材、化粧漆喰、及びコーキングに添加されてもよい。セラミック材料添加剤１４は粉末２２を含有してもよく、又は必要に応じて、粗粒の外観、さらに強度、耐火性、及び断熱の増加をもたらすために、粉末に加えて、又は粉末の代わりに顆粒状粒子２０を含有してもよい。
【００２２】
新しいセラミック材料は、先に述べた建設業における実際の、かつ競争の激しい用途には高価すぎる。しかしながら、セラミック材料は一般に、埋め立て地に廃棄される。従って、本発明の塗料及び添加剤用に使用済みのセラミック材料を再利用することにより、実用的で競争力があるようにコストを大幅に削減することができ、その上、改良品が提供される。そのため、セラミック材料１４は、本発明の好ましい実施形態に従って再利用される、即ち、例えば火炉の内張り等の任意の目的で既に使用されているセラミック材料から形成または回収される。従って、符号３０で示されたものは、セラミック材料のブロック３２を含む火炉の壁の一部である。時々、火炉は再内張りされる必要があり、その結果として、ブロック３２が取り外される。取り外された使用済みのブロック３２は一般的に、輸送費を除いて無料で得られる。ブロック３２を再利用するため、まず符号３４で示すように、ブロック３２が従来のジョー・クラッシャ内に配置されて圧縮および粉砕され、それによって砂利２６が形成される。次いで、符号３８で示すように、砂利２６が従来の粉砕機内に配置され、顆粒状粒子２４と粉末２２との混合物が形成される。次に、符号４２で示すように、顆粒状粒子２４及び粉末２２が、粉末２２が篩４０を通過して落下し、顆粒状粒子２４が篩４０を通過して落下しない寸法である篩４０の使用によって分離される。セラミック材料を再利用するためのこの安価な方法は、火炉の内張り用のセラミックブロックを提供する目的のために当該技術分野で常用であり、セラミック材料を安価に提供することができる。また一方、セラミック材料を再利用するために、任意の他の適切な方法が使用されてもよい。
【００２３】
本発明の塗料および添加剤における安価な再利用セラミック材料の使用は、建設業において実用的であり、且つ競争力があることに関して十分に安価である再利用セラミック材料の使用が可能となり（一方で優れた建造物を提供し）、さらに、環境の保全にも役立っている。
【００２４】
本発明は本明細書で詳細に記載されているが、当然のことながら、本発明の本質から逸脱することなく他の方法で具体化され得るものであり、このような他の実施形態は、添付された特許請求の範囲により定義された本発明の範囲内に入るものである。
【図面の簡単な説明】
【００２５】
【図１】本発明を具体化する屋根用キャップの一部及びその製造方法を示す組み合わせブロック及び概略図。
【図２】本発明を具体化する建物の概略斜視図。
【図３】建物用の、且つ垂直支持部材を有する垂直支持柱の図２の３−３線に沿った水平断面図。
【図４】垂直支持柱の一部の斜視図。
【図５】水平支持部材およびその垂直支持部材を示す建物の床の平面図。
【図６】垂直支持部材または水平支持部材の一方の拡大部分図。
【図１】
2005533945.tif 000003
【図２】
2005533945.tif 000004
【図３】
2005533945.tif 000005
【図４】
2005533945.tif 000006
【図５】
2005533945.tif 000007
【図６】
2005533945.tif 000008
【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
複数の床と、前記床を支持する複数のビームと、該ビームのうちの少なくとも一つのビーム上の塗料組成物とを備え、該塗料組成物がセラミック材料及び接着剤を含有し、該セラミック材料が塗布される少なくとも一つの該ビームの少なくとも一部分の該セラミック材料による完全な被覆率を提供する量及び形態で該セラミック材料が該接着剤中に分散されている建物。
【請求項２】
該ビームが金属からなる請求項１に記載の建物。
【請求項３】
該セラミック材料が再利用セラミック材料である請求項１に記載の建物。
【請求項４】
該セラミック材料が使用済みの火炉内張りから形成されている請求項１に記載の建物。
【請求項５】
該セラミック材料は、粒状のセラミック材料及びセラミック粉末を含有し、該セラミック粉末は、該ビームの該塗料組成物が塗布された部分のセラミック材料による完全な被覆率を提供するのに十分な量で該接着剤中に分散されている請求項１に記載の建物。
【請求項６】
複数のルーフィングシートと、該ルーフィングシート上の紫外線保護塗料組成物とを含有し、該塗料組成物は、セラミック材料および接着剤を含有し、該セラミック材料は、該ルーフィングシートの該セラミック材料による完全な被覆率を提供するのに十分な量で該接着剤中に分散されているセラミック粉末を含有する建物の屋根部分。
【請求項７】
該セラミック材料が再利用セラミック材料である請求項６に記載の建物の屋根部分。
【請求項８】
該セラミック材料が使用済みの火炉内張りから形成されている請求項６に記載の屋根部分。
【請求項９】
該セラミック材料は、粒状のセラミック材料をさらに含有する請求項６に記載の屋根部分。
【請求項１０】
建物を建設すべく他の物品と組み付けられるための物品であって、その物品は、建物のための支持ビームと、該支持ビームに塗布される塗料組成物とを備え、該塗料組成物は、粒状のセラミック材料と、セラミック粉末と、接着剤とを含有し、該セラミック粉末は、該支持ビームの該塗料組成物が塗布された部分の該セラミック材料による完全な被覆率を提供するのに十分な量で該接着剤中に分散されていることからなる物品。
【請求項１１】
該粒状のセラミック材料および該セラミック粉末が使用済みの火炉内張りから形成されている請求項１０に記載の物品。
【請求項１２】
該粒状のセラミック材料および該セラミック粉末が再利用されている請求項１０に記載の物品。
【請求項１３】
シーリング材、化粧漆喰、およびコーキングのうちの１種であり、使用済みの火炉内張りから形成されている多量のセラミック材料を含む添加剤を含有する建設において使用される材料。
【請求項１４】
使用済みの火炉内張りから形成されている多量のセラミック材料を材料に塗布する工程を含む建設において使用される材料の性質を高める方法。
【請求項１５】
セラミック粉末を含有するべく前記セラミック材料を選択する工程をさらに備える請求項１４に記載の方法。
【請求項１６】
前記材料が、シーリング剤、化粧漆喰、及びコーキングのうちの１種である請求項１４に記載の方法。
【請求項１７】
セラミック材料および接着剤を含有する下地用塗料組成物であって、該セラミック材料はセラミック粉末を含有し、該セラミック材料は使用済みの火炉内張りから形成され、該セラミック粉末は、下地の塗料組成物が塗布された部分の該セラミック材料による完全な被覆率を提供するのに十分な量で接着剤中に分散されている下地用塗料組成物。
【請求項１８】
該セラミック材料は粒状のセラミック材料をさらに含有する請求項１７に記載の塗料組成物。
【請求項１９】
使用済みの火炉内張りから再利用セラミック材料を形成する工程と、前記再利用セラミック材料および接着剤からなる塗料を構造部材部分に塗布する工程とを含み、セラミック粉末を含有するべく前記再利用セラミック材料を選択する工程をさらに含み、該セラミック粉末が、セラミック材料による構造部材部分の完全な被覆率を提供するために接着剤中に十分な量で用いられ、接着剤を硬化させる工程をさらに含む構造部材部分の性質を高める方法。
【請求項２０】
粒状のセラミック材料も含有するべく前記再利用セラミック材料を選択する工程を含む請求項１９の記載の方法。
【請求項２１】
塗料組成物を塗布する工程が、まず前記構造部材部分に接着剤を塗布する工程と、次いで、前記接着剤に前記粒状のセラミック材料を付ける工程と、次に、接着剤と混合されたセラミック粉末を前記構造部材部分上に吹き付ける工程とを含む請求項２０に記載の方法。
【国際調査報告】
2005533945.tif 000009
2005533945.tif 000010